(57)【要約】【課題】  ディスク状の記録媒体がスロットから排出される量を調整することができるディスク駆動装置及び電子機器を提供する。【解決手段】  ディスク駆動装置１は、ディスク搬送機構３４がアーム機構１３５の移動を途中で規制する規制機構１２０を備えているので、例えばスロット１９からの大径ディスク２Ａの排出時にアーム機構１３５の移動を途中で規制しアーム機構１３５が大径ディスク２Ａを押し出す力を調整（低減）でき、大径ディスク２Ａがスロット１９から排出される量を調整することができる。従って、大径ディスク２Ａがスロット１９から排出される量を、例えば大径ディスク２Ａの半径の長さ程度にすることで、大径ディスク２Ａをスロット１９から容易に取り出すことができるようにすることができると共に、スロット１９から大径ディスク２Ａが脱落することを防止することができる。【選択図】  図３
2006302399.tif 000002
【特許請求の範囲】
【請求項１】
ディスク状の記録媒体が挿入及び排出されるスロットを有する筐体と、
前記筐体内に設けられ、前記スロットから挿入された前記記録媒体が装着される装着部と、
前記記録媒体の記録面にほぼ平行な面内で広がるように、かつ、狭まるように移動することで、前記記録媒体の周縁部を挟持しながら、前記スロット側と前記装着部側との間で前記記録媒体を搬送させるためのアームを有し、前記アームの移動を途中で規制可能な搬送機構と
を具備することを特徴とするディスク駆動装置。
【請求項２】
請求項１に記載のディスク駆動装置であって、
前記搬送機構は、
前記アームに装着されたストッパーと、
前記アームが狭まる途中で前記ストッパーに係合する係合部を有し、前記アームを前記面内で狭める方向に回動させるための回動力を付与する回動力付与機構と
を有することを特徴とするディスク駆動装置。
【請求項３】
請求項２に記載のディスク駆動装置であって、
前記アームの移動が規制されたときに前記アームが前記記録媒体を押し出す力は、前記スロットを介して前記記録媒体が排出されるときの該記録媒体に働く摩擦力より小さく設定されていることを特徴とするディスク駆動装置。
【請求項４】
請求項３に記載のディスク駆動装置であって、
前記回動力付与機構は、前記スロットから前記記録媒体が引き抜かれると、前記ストッパーと前記係合部との係合が解除されるように前記アームに前記回動力を付与していることを特徴とするディスク駆動装置。
【請求項５】
請求項２に記載のディスク駆動装置であって、
前記回動力付与機構は、
弾性体と、
前記係合部としてのピンを有し、前記弾性体の付勢力により回動するレバーとを有し、
前記ストッパーは、前記レバーの回動方向で前記ピンと対面して当接する当接面を有することを特徴とするディスク駆動装置。
【請求項６】
請求項２に記載のディスク駆動装置であって、
前記ストッパーは、前記係合部と係合してロックするロック部を有し、
前記記録媒体が前記スロットに挿入されているか否かを検出するための検出部と、
前記検出部により前記記録媒体が前記スロットに挿入されていない状態が検出されたときに、前記係合部を前記ストッパーから解除する解除機構と
を更に具備することを特徴とするディスク駆動装置。
【請求項７】
請求項６に記載のディスク駆動装置であって、
前記回動力付与機構は、
弾性体と、
前記係合部としてのピンを有し、前記弾性体の付勢力により回動するレバーとを有し、
前記ストッパーは、前記ロック部として、前記ピンが嵌る嵌合部を有することを特徴とするディスク駆動装置。
【請求項８】
請求項１に記載のディスク駆動装置であって、
前記記録媒体として、第１の直径でなる第１のディスク及び前記第１の直径とは異なる第２の直径を有する第２のディスクに対応可能であることを特徴とするディスク駆動装置。
【請求項９】
ディスク状の記録媒体が挿入及び排出されるスロットを有する筐体と、前記筐体内に設けられ、前記スロットから挿入された前記記録媒体が装着される装着部と、前記記録媒体の記録面にほぼ平行な面内で広がるように、かつ、狭まるように移動することで、前記記録媒体の周縁部を挟持しながら、前記スロット側と前記装着部側との間で前記記録媒体を搬送させるためのアームを有し、前記アームの移動を途中で規制可能な搬送機構とを有するディスク駆動装置と、
前記ディスク駆動装置の駆動を制御する制御部と
を具備することを特徴とする電子機器。
【発明の詳細な説明】
【技術分野】
【０００１】
本発明は、光学ディスクに対して信号の記録及び／又は再生を行うディスク駆動装置に関し、特に外径の異なるディスクに対応可能なスロットイン型のディスク駆動装置及び電子機器に関する。
【背景技術】
【０００２】
光学ディスクとしては、従来よりＣＤ(Compact Disk)やＤＶＤ(Digital Versatile Disk)といった光ディスク、ＭＯ(Magneto optical)やＭＤ(Mini Disk)等の光磁気ディスクが広く知られており、これらディスクやディスクカートリッジ等に対応した各種のディスク駆動装置が登場している。
【０００３】
ディスク駆動装置には、筐体に設けられた蓋や扉を開放し、そこから臨むターンテーブルにディスクを直接装着するタイプ、筐体から水平方向に出し入れされるディスクトレイにディスクを載置することで、ディスクトレイが引き込まれた際にディスクが内部のターンテーブルに自動的に装着されるタイプ、或いはこのディスクトレイに設けられたターンテーブルにディスクを直接装着するタイプ等がある。しかしながら、何れのタイプも操作者にとって、蓋や扉を開閉したり、ディスクトレイを出し入れしたり、ターンテーブルにディスクを装着したりといった操作を必要とする。
【０００４】
これに対して、筐体の前面に設けられたスロットからディスクを挿入するだけでディスクが自動的にターンテーブルに装着される、いわゆるスロットイン型のディスク駆動装置がある。このディスク駆動装置では、スロットからディスクが挿入されると、互いに対向する一対のガイドローラの間にディスクを挟み込みながら、これら一対のガイドローラが互いに逆向きに回転させることによって、スロットから挿入されたディスクを筐体の内部へと引き込むローディング動作と、このスロットからディスクを筐体の外部へと排出するイジェクト動作とを行う。
【０００５】
ところで、ディスク駆動装置が搭載される、例えばノート型パーソナルコンピュータ等のモバイル機器では、更なる小型軽量薄型化が求められており、それに伴うディスク駆動装置の小型軽量薄型化の要求も高まっている。また、近年では、パーソナルコンピュータ等で主流であったトレイ型のディスク駆動装置よりも、操作感のよいスロットイン型のディスク駆動装置の需要が高まっている。
【０００６】
しかしながら、スロットイン型のディスク駆動装置では、上述した一対のガイドローラの長さがディスクの直径よりも長くなることから、装置全体の幅方向の寸法が長くなる。また、一対のガイドローラの間にディスクを挟み込むことから、厚み方向の寸法も長くなる。このため、従来のスロットイン型のディスク駆動装置では、小型化や薄型化に非常に不利であった。
【０００７】
特に、ノート型パーソナルコンピュータ等に搭載される超薄型のディスク駆動装置は、厚さ１２．７ｍｍが標準サイズとされており、更にハードディスクドライブ（ＨＤＤ）ユニットと同等の厚みである９．５ｍｍまで薄型化された場合には、このようなガイドローラをそのまま転用することは寸法上困難である。
【０００８】
そこで、スロットイン型のディスク駆動装置では、小型化や薄型化の要求に応えるため、スロットから挿入されたディスクと、このディスクが装着されるターンテーブルが取り付けられたベースとの間に複数の回動アームを配置し、これら回動アームを当該ディスクと平行な面内で回動させながら、ディスクをスロットから筐体の内部へと引き込むローディング動作と、ディスクをスロットから筐体の外部へと排出するイジェクト動作とを行うディスク駆動装置が提案されている（例えば、特許文献１参照）。
【特許文献１】特開２００２−１１７６０４号公報（段落［００１８］〜［００２８］、図１）
【発明の開示】
【発明が解決しようとする課題】
【０００９】
しかしながら、上記特許文献１の技術では、回動アームを用いてイジェクト動作を行うときに、例えば多様なディスクに応じてスロットからの排出量を任意に設定できない、という問題がある。
【００１０】
これは、イジェクト動作により、排出を担う２つの回動アームがＨＯＭＥ位置（ディスクの待ち受け位置）となったときに例えば直径１２ｃｍの大径ディスクの排出が完了するように構成され、大径ディスクの排出量は２つの回動アームのＨＯＭＥ位置によって決まってしまうためである。ディスクの排出量はカスタマーが任意に設定することを望む項目のひとつであり、機構の構成によって一義的に規定されてしまうことは好ましくない。
【００１１】
また、２つの回動アームのＨＯＭＥ位置によって規定される排出量は、一部の低摩擦のディスクにとっては過大であり、排出時にドライブから飛び出し落下することも考えられる。
【００１２】
以上のような事情に鑑み、本発明の目的は、ディスク状の記録媒体がスロットから排出される量を調整することができるディスク駆動装置及び電子機器を提供することにある。
【課題を解決するための手段】
【００１３】
上記目的を達成するため、本発明に係るディスク駆動装置は、ディスク状の記録媒体が挿入及び排出されるスロットを有する筐体と、前記筐体内に設けられ、前記スロットから挿入された前記記録媒体が装着される装着部と、前記記録媒体の記録面にほぼ平行な面内で広がるように、かつ、狭まるように移動することで、前記記録媒体の周縁部を挟持しながら、前記スロット側と前記装着部側との間で前記記録媒体を搬送させるためのアームを有し、前記アームの移動を途中で規制可能な搬送機構とを具備する。
【００１４】
本発明では、アームの移動を途中で規制可能な搬送機構を有するので、例えばスロットからの記録媒体の排出時にアームの移動を途中で規制しアームが記録媒体を押し出す力を調整（低減）でき、記録媒体がスロットから排出される量を調整することができる。従って、記録媒体がスロットから排出される量を、例えば記録媒体の半径の長さ程度にすることで、記録媒体をスロットから容易に取り出すことができるようにすることができると共に、スロットから記録媒体が脱落することを防止することができる。
【００１５】
本発明の一の形態によれば、前記搬送機構は、前記アームに装着されたストッパーと、前記アームが狭まる途中で前記ストッパーに係合する係合部を有し、前記アームを前記面内で狭める方向に回動させるための回動力を付与する回動力付与機構とを有する。これにより、アームが狭まる途中で係合部がストッパーに係合したときに、係合部によりストッパ−を介して押圧されるアームが記録媒体を押し出す力を減少させ、記録媒体がスロットから排出される量を調整することができる。
【００１６】
本発明の一の形態によれば、前記アームの移動が規制されたときに前記アームが前記記録媒体を押し出す力は、前記スロットを介して前記記録媒体が排出されるときの該記録媒体に働く摩擦力より小さく設定されている。これにより、アームの移動が規制されたときに、スロットと記録媒体との摩擦力により、排出中の記録媒体をスロット内に保持することができる。
【００１７】
本発明の一の形態によれば、前記回動力付与機構は、前記スロットから前記記録媒体が引き抜かれると、前記ストッパーと前記係合部との係合が解除されるように前記アームに前記回動力を付与している。これにより、スロットから記録媒体が引き抜かれると、例えばスロットと記録媒体との摩擦力がなくなり、ストッパーと係合部との係合が解除されるので、係合を解除するための機構を設けることなくアームを例えば記録媒体の待ち受け状態に戻すことができる。
【００１８】
本発明の一の形態によれば、前記回動力付与機構は、弾性体と、前記係合部としてのピンを有し、前記弾性体の付勢力により回動するレバーとを有し、前記ストッパーは、前記レバーの回動方向で前記ピンと対面して当接する当接面を有する。これにより、弾性体の付勢力により回動するレバーのピンがストッパーの当接面に当接し、アームが狭まる途中でアームの移動を規制することができる。
【００１９】
本発明の一の形態によれば、前記ストッパーは、前記係合部と係合してロックするロック部を有し、前記記録媒体が前記スロットに挿入されているか否かを検出するための検出部と、前記検出部により前記記録媒体が前記スロットに挿入されていない状態が検出されたときに、前記係合部を前記ストッパーから解除する解除機構とを更に具備する。これにより、アームが狭まるように移動する途中で係合部をロック部によりロックすることができ、アームの回動を所望の位置で確実に規制することができると共に、検出部によりスロットにディスクがないことを検出したときに、解除機構により係合部をストッパーから解除し、例えばアームを記録媒体の待ち受け状態に戻すことができる。
【００２０】
本発明の一の形態によれば、前記回動力付与機構は、弾性体と、前記係合部としてのピンを有し、前記弾性体の付勢力により回動するレバーとを有し、前記ストッパーは、前記ロック部として、前記ピンが嵌る嵌合部を有する。これにより、ストッパーは、ロック部として、ピンが嵌る嵌合部を有するので、簡単な構造のピンが嵌合部に嵌合した状態でアームの回動を規制することができる。
【００２１】
本発明の一の形態によれば、前記記録媒体として、第１の直径でなる第１のディスク及び前記第１の直径とは異なる第２の直径を有する第２のディスクに対応可能である。これにより、第１のディスク、又は、第２のディスクがスロットから排出されるときに、第１のディスク又は第２のディスクがスロットから排出する量を調整することができる。
【００２２】
本発明に係る電子機器は、ディスク状の記録媒体が挿入及び排出されるスロットを有する筐体と、前記筐体内に設けられ、前記スロットから挿入された前記記録媒体が装着される装着部と、前記記録媒体の記録面にほぼ平行な面内で広がるように、かつ、狭まるように移動することで、前記記録媒体の周縁部を挟持しながら、前記スロット側と前記装着部側との間で前記記録媒体を搬送させるためのアームを有し、前記アームの移動を途中で規制可能な搬送機構とを有するディスク駆動装置と、前記ディスク駆動装置の駆動を制御する制御部とを具備する。
【００２３】
本発明では、アームの移動を途中で規制可能な搬送機構を有するので、例えばスロットからの記録媒体の排出時にアームの移動を途中で規制しアームが記録媒体を押し出す力を調整（低減）でき、記録媒体がスロットから排出される量を調整することができる。従って、記録媒体がスロットから排出される量を、例えば記録媒体の半径の長さ程度にすることで、記録媒体をスロットから容易に取り出すことができるようにすることができると共に、スロットから記録媒体が脱落することを防止することができる。制御部とは、ユーザからの操作入力等に基づいて少なくとも上記ディスク駆動装置に対して信号を生成して送るものであり、例えばＣＰＵである。
【発明の効果】
【００２４】
以上のように、本発明によれば、記録媒体がスロットから排出される量を調整することができる。
【発明を実施するための最良の形態】
【００２５】
以下、本発明の実施の形態を図面に基づき説明する。
【００２６】
図１は本発明に係るディスク駆動装置の外観斜視図、図２はディスク駆動装置のトップカバーを内面側から見た斜視図、図３はディスク駆動装置の構造を示す平面図である。
【００２７】
このディスク駆動装置１は、図１に示すように、外筐となる筐体３を備え、この筐体３は、下部筐体である略扁平箱状のボトムケース４と、このボトムケース４の上部開口部を覆う天板であるトップカバー５とから構成されている。
【００２８】
トップカバー５は、図１及び図２に示すように、薄い板金からなり、ボトムケース４の上部開口部を閉塞する天板部５ａと、この天板部５ａの周囲がボトムケース４の両側面に沿って僅かに折り曲げられた一対の側板部５ｂとを有している。天板部５ａの略中央部には、略円形状の開口部６が形成されている。この開口部６は、後述するチャッキング動作時に例えば光ディスク２の中心孔２ａに係合されるターンテーブル２３ａの係合突部２８ａを外部に臨ませるためのものである。また、天板部５ａの開口部６の周囲には、ターンテーブル２３ａ上に保持された光ディスク２の中心孔２ａの周囲と当接されるように、筐体３の内側に向かって僅かに突出した当接突部７が設けられている。
【００２９】
天板部５ａの内側の主面には、図２に示すように後述する第１の回動アーム３５の先端部と第２の回動アーム３６の先端部とを高さ方向に規制しながら、互いに近接又は離間する方向に案内するガイド部材８が設けられている。このガイド部材８は、天板部５ａの両側板部５ｂの間に亘って略円弧状をなす板金からなり、天板部５ａの前面側にスポット溶接やかしめ等により取り付けられている。また、このガイド部材８は、背面側が前面側の取付面よりも一段高くなされた係止部８ａを有している。これにより、ガイド部材８の背面側の係止部８ａと天板部５ａとの間には、第１の回動アーム３５の先端部及び第２の回動アーム３６の先端部が係合されるガイド溝９が形成されている。また、天板部５ａには、このガイド溝９に第１の回動アーム３５の先端部と第２の回動アーム３６の先端部とを係合させるための作業用の窓部１０がそれぞれ設けられている。
【００３０】
ボトムケース４は、図３に示すように、略扁平箱状に形成された板金からなり、その底面部は、略矩形状であり、一方の側面部には、この底面部よりも底上げされて外側へと張り出したウィング部４ａが設けられている。
【００３１】
ボトムケース４の底面部には、ディスク駆動装置１の駆動を制御する図示を省略した駆動制御回路を構成するＩＣチップ等の電子部品や、各部の電気的な接続を図るためのコネクタ、各部の動作を検出するための後述する検出スイッチ等が配置された回路基板がネジ止め等により取り付けられている。また、ボトムケース４の底面部には、シャーシ１１がネジ止めにより取り付けられている。このシャーシ１１は、回路基板の上方において、ボトムケース４の内部を上記ウィング部４ａと略同等の高さで上下に仕切るように配置されている。
【００３２】
そして、このボトムケース４には、図１に示すように、上記トップカバー５がネジ止めにより取り付けられている。具体的に、図２に示すように、天板部５ａの外周縁部には、図１に示すネジ１２を貫通させる複数の貫通孔１３が形成されている。また、両側の側板部５ｂには、内側に略直角に折り曲げられた複数のガイド片１４が設けられている。一方、ボトムケース４の外周縁部には、図３に示すように、内側に略直角に折り曲げられた固定片１５が設けられており、これら固定片１５には、トップカバー５の貫通孔１３に対応したネジ孔１６が形成されている。また、ボトムケース４の両側面部には、トップカバー５の複数のガイド片１４の抜け止めとなる複数のガイドスリット１７が形成されている。
【００３３】
そして、ボトムケース４にトップカバー５を取り付ける際は、ボトムケース４の複数のガイドスリット１７にトップカバー５の複数のガイド片１４を係合させた状態で、トップカバー５を前面側から背面側へとスライドさせる。これにより、トップカバー５の天板部５ａがボトムケース４の上部開口部を閉塞した状態となる。そして、この状態でトップカバー５の複数の貫通孔１３を通してボトムケース４のネジ孔１６にネジ１２を螺合する。以上のようにして、図１に示す筐体３が構成されている。
【００３４】
なお、トップカバー５の天板部５ａには、組付後に、上述した開口部６や作業用の窓部１０を覆うラベルシール（図示せず。）が貼り付けられる。これにより、筐体３の内部への塵埃等の侵入や外部へのレーザの漏れ等を防止する。
【００３５】
筐体３の前面には、図１に示すように、略矩形平板状のフロントパネル１８が取り付けられている。このフロントパネル１８には、光ディスク２が水平方向に挿入及び排出されるスロット１９が設けられている。すなわち、ディスク駆動装置１は、直径１２ｃｍの大径ディスク及び直径８ｃｍの小径ディスクに対応可能であり、例えば大径ディスクを、このスロット１９から筐体３の内部へと挿入したり、或いはこのスロット１９から筐体３の外部へと排出したりすることが可能となっている。また、フロントパネル１８の前面には、光ディスク２に対するアクセス状態を点灯表示する表示部２０や、光ディスク２を排出する際に押圧されるイジェクトボタン２１、及び塵埃の進入を防止すると共に排出後の光ディスク２を摩擦力により保持するカーテン３２とが設けられている。
【００３６】
図４はディスク駆動装置１のベースユニットの斜視図である。
【００３７】
このディスク駆動装置１は、図３及び図４に示すように、ボトムケース４の底面部にディスク駆動装置本体を構成するベースユニット２２を備えている。
【００３８】
このベースユニット２２は、スロット１９から筐体３の内部に挿入された光ディスク２が装着されるディスク装着部２３と、このディスク装着部２３に装着された光ディスク２を回転駆動するディスク回転駆動機構２４と、このディスク回転駆動機構２４により回転駆動される光ディスク２に対して信号の書き込み又は読み出しを行う光学ピックアップ２５と、この光学ピックアップ２５を光ディスク２の半径方向に送り動作させるピックアップ送り機構２６とを有し、これらがベース２７に一体に設けられた超薄型構造を有している。
【００３９】
このベースユニット２２は、ボトムケース４の底面部においてディスク装着部２３が略々中央に位置するように、シャーシ１１よりも前面側に配置されている。また、このベースユニット２２は、後述するベース昇降機構５５によって昇降可能とされており、初期状態において、スロット１９から筐体３の内部に挿入される光ディスク２よりも下方に位置している。
【００４０】
ベース２７は、板金を所定の形状に打ち抜き、その周囲を僅かに下方に折り曲げて形成されている。ベース２７の主面には、ディスク装着部２３のターンテーブル２３ａを上方へと臨ませる略半円状のテーブル用開口部２７ａと、光学ピックアップ２５の対物レンズ２５ａを上方へと臨ませる略矩形状のピックアップ用開口部２７ｂとが連続形成されている。なお、ベース２７の上面部には、これら開口部２７ａ，２７ｂに対応した開口部が形成された化粧板（図示せず。）が取り付けられる。
【００４１】
ベース２７は、図４に示すように、後述する駆動レバー５２と対向する側面のディスク装着部２３側に突設された第１の支軸５９と、図９に示す後述するカムレバー５６と対向する側面のディスク装着部２３側に突設された第２の支軸６０と、駆動レバー５２と対向する側面とは反対側の側面の前面側に突設された第３の支軸６２と、カムレバー５６と対向する側面とは反対側の側面の前面側に設けられた固定支持部６５とを備えている。
【００４２】
ディスク装着部２３は、ディスク回転駆動機構２４により回転駆動されるターンテーブル２３ａを有し、このターンテーブル２３ａの中心部には、光ディスク２を装着するためのチャッキング機構２８が設けられている。このチャッキング機構２８は、光ディスク２の中心孔２ａに係合される係合突部２８ａと、この係合突部２８ａに係合された光ディスク２の中心孔２ａの周囲を係止する複数の係止爪２８ｂとを有し、光ディスク２をターンテーブル２３ａ上に保持する。
【００４３】
ディスク回転駆動機構２４は、光ディスク２をターンテーブル２３ａと一体に回転駆動する扁平状のスピンドルモータ２４ａを有し、このスピンドルモータ２４ａは、上面部に設けられたターンテーブル２３ａがベース２７のテーブル用開口部２７ａから僅かに突出するように、支持板２４ｂを介してベース２７の下面にネジ止めにより取り付けられている。
【００４４】
光学ピックアップ２５は、光源となる半導体レーザから出射された光ビームを対物レンズ２５ａにより集光させて光ディスク２の信号記録面に照射し、この光ディスク２の信号記録面で反射された戻りの光ビームを受光素子等からなる光検出器により検出する光学ブロックを有し、光ディスク２に対する信号の書き込み又は読み出しを行うようになされている。
【００４５】
また、この光学ピックアップ２５は、対物レンズ２５ａを光軸方向（フォーカッシング方向という。）と、光ディスクの記録トラックと直交する方向（トラッキング方向という。）とに変位駆動する２軸アクチュエータ等の対物レンズ駆動機構を有し、上述した光検出器により検出された光ディスク２からの検出信号に基づいて、この２軸アクチュエータにより対物レンズ２５ａをフォーカッシング方向及びトラッキング方向に変位させながら、光ディスク２の信号記録面上に対物レンズ２５ａの焦点を合わせるフォーカスサーボや、対物レンズ２５ａにより集光される光ビームのスポットを記録トラックに追従させるトラッキングサーボ等の駆動制御を行うようになされている。なお、対物レンズ駆動機構としては、このようなフォーカシング制御及びトラッキング制御に加えて、対物レンズ２５ａにより集光された光ビームを光ディスク２の信号記録面に垂直に照射させるように、光ディスク２の信号記録面に対する対物レンズ２５ａの傾き（スキュー）を調整可能とする３軸アクチュエータを用いてもよい。
【００４６】
ピックアップ送り機構２６は、光学ピックアップ２５が搭載されたピックアップベース２９と、このピックアップベース２９を光ディスク２の半径方向にスライド可能に支持する一対のガイド軸３０ａ，３０ｂと、これら一対のガイド軸３０ａ，３０ｂに支持されたピックアップベース２９を光ディスク２の半径方向に変位駆動する変位駆動機構３１とを有している。
【００４７】
ピックアップベース２９には、一対のガイド軸３０ａ，３０ｂのうち、一方のガイド軸３０ａを挿通するガイド孔が形成された一対のガイド片３２ａ，３２ｂと、他方のガイド軸３０ｂを挟み込むガイド溝が形成されたガイド片３３とが互いに対向する側面から突出形成されている。これにより、ピックアップベース２９は、一対のガイド軸３０ａ，３０ｂにスライド可能に支持されている。
【００４８】
一対のガイド軸３０ａ，３０ｂは、ベース２７の下面に光ディスク２の半径方向と互いに平行となるように配置されており、ベース２７のピックアップ用開口部２７ｂから光学ピックアップ２５が臨むピックアップベース２９を光ディスク２の内外周に亘って案内する。
【００４９】
変位駆動機構３１は、ベース２７に取り付けられた駆動モータ３１ａの回転駆動をギヤやラック（図示せず。）を介して直線駆動に変換し、ピックアップベース２９を一対のガイド軸３０ａ，３０ｂに沿った方向、すなわち光ディスク２の半径方向に変位駆動させる。
【００５０】
このディスク駆動装置１は、図３に示すように、スロット１９から光ディスク２が挿入及び排出されるディスク挿入排出位置と、ディスク装着部２３のターンテーブル２３ａに光ディスク２が装着されるディスク装着位置との間で光ディスク２の搬送を行うディスク搬送機構３４を備えている。
【００５１】
このディスク搬送機構３４は、光ディスク２の記録面とほぼ平行な面内で広がるように、かつ、狭まるように移動することで、光ディスク２の周縁部を挟持しながら、スロット１９側とディスク装着部２３側との間で光ディスク２を搬送させるためのアーム機構１３５と、後述するようにこれらのアーム機構１３５の移動を途中で規制する規制機構１２０とを備えている。
【００５２】
アーム機構１３５は、光ディスク２の周縁部の両側を挟むように回動可能に設けられた第１の回動アーム３５、第２の回動アーム３６、光ディスク２などの挿入を補助する第３の回動アーム４６及び光ディスク２などの排出を補助する第４の回動アーム４９などを備えている。
【００５３】
第１の回動アーム３５及び第２の回動アーム３６は、長尺状の板金からなり、ディスク装着部２３を挟んだ左右の両側に各々配置されており、それぞれディスク装着部２３よりも背面側に位置する基端部が、シャーシ１１上に設けられた第１の支軸３７を軸として支持されると共に、ディスク装着部２３よりも前面側に位置する先端部がスロット１９から挿入された光ディスク２の記録面とほぼ平行な面内で互いに近接又は離間する図３に示す矢印ａ１、ａ２、ｂ２、ｂ２方向に回動可能となっている。
【００５４】
第１の回動アーム３５及び第２の回動アーム３６は、光ディスク２がスロット１９に挿入される前の初期状態（ＨＯＭＥ状態）において、それぞれの先端部が所定の広がり角で開いた状態で保持されている。
【００５５】
この広がり角は、直径が８ｃｍの小径ディスクをスロット１９に挿入したときに、小径ディスクを保持できるようにするため、少なくともフランジ１３８、１４０の間の距離Ｌ１が小径ディスクの直径よりも小さくなるように設計されており、好ましくは第１の前面側当接部材３８の回転ローラ７３ａと第２の前面側当接部材４０の回転ローラ７３ｃ間の最短距離Ｌ２が小径ディスクの直径よりも小さくなるように設計されている。
【００５６】
第１の回動アーム３５は、図３に示すように先端部に設けられた第１の前面側当接部材３８と、光ディスク２の高さ方向の移動を規制するために設けられたフランジ１３８とを備えている。第１の前面側当接部材３８は、回転可能に設けられた前後一対の回転ローラ７３ａ，７３ｂを備えている。
【００５７】
第１の回動アーム３５の基端部近傍には、光ディスク２をディスク装着位置に位置決めする際に、第１の前面側当接部材３８と共に光ディスク２の外周部に当接される第１の背面側当接部材３９が下方に向かって突出して設けられている。
【００５８】
第１の前面側当接部材３８、フランジ１３８及び第１の背面側当接部材３９は、光ディスク２よりも柔らかい樹脂を用いて製造されている。
【００５９】
第１の回動アーム３５には、図３に示すように、捻じりコイルバネ７１ｄが設けられており、捻りコイルバネ７１ｄは、回動部材７１のギヤ部７１ａと内歯ギヤ９４とを介して第１の回動アーム３５と、第２の回動アームをと互いに近接する方向に付勢している。
【００６０】
回動部材７１は、図３に示すように、その外周部の所定の領域に亘って形成されたギヤ部７１ａを有し、このギヤ部７１ａがシャーシ１１上に配置された内歯ギヤ９４と噛合されることによって、第１の回動アーム３５の回動動作に連動しながら回動操作される。
【００６１】
第２の回動アーム３６の先端部には、スロット１９から挿入された光ディスク２の外周部に当接される第２の前面側当接部材４０と、光ディスク２の高さ方向の移動を規制するために設けられたフランジ１４０とが設けられている。第２の前面側当接部材４０は、回転ローラ７３ｃ、７３ｄを備えており、第２の前面側当接部材４０、フランジ１４０は、光ディスク２よりも柔らかい樹脂を用いて製造されている。
【００６２】
このように、第１の回動アーム３５と第２の回動アーム３６とは、ディスク装着部２３のターンテーブル２３ａを挟んで略対称となる位置に配置されており、互いの回動中心がディスク装着部２３よりも背面側の略中央部において一致している。また、第１の回動アーム３５の先端部及び第２の回動アーム３６の先端部は、天板部５ａのガイド溝９に係合された状態で回動方向に沿ってスライド可能に支持されている。
【００６３】
第１の回動アーム３５と、第２の回動アーム３６とは連動機構４１を介して互いに逆向きに回動可能となっている。
【００６４】
具体的に、この連動機構４１は、第１の回動アーム３５と第２の回動アーム３６とを連結する第１の連結アーム４２及び第２の連結アーム４３を有している。これら第１の連結アーム４２及び第２の連結アーム４３は、長尺状の板金からなり、それぞれの長手方向の一端部が第１の回動アーム３５の基端部と第２の回動アーム３６の基端部とに回動可能に支持され、それぞれの長手方向の他端部が第２の支軸４４を介して回動可能に支持された、いわゆるパンタグラフ構造を有している。また、第２の支軸４４は、シャーシ１１の第１の支軸３７よりも前面側に設けられたガイドスリット４５に係合されており、このガイドスリット４５は、光ディスク２の挿入方向に亘って直線状に形成されている。
【００６５】
第１の支軸３７には、第１の回動アーム３５と第２の回動アーム３６とを互いに近接する方向に付勢するための第１の捻じりコイルバネ７５が設けられている。第１の捻じりコイルバネ７５は、その巻回部分に第１の支軸３７が挿通された状態で、その一端部が第１の回動アーム３５の基端部に掛止され、その他端部が第２の回動アーム３６に掛止され設けられている。
【００６６】
したがって、第１の回動アーム３５と第２の回動アーム３６とは、第２の支軸４４がガイドスリット４５内をスライドすることで、第１の連結アーム４２及び第２の連結アーム４３を介して互いに逆向きに回動可能となっている。すなわち、第１の回動アーム３５の先端部と第２の回動アーム３６の先端部とは、このような連動機構４１によって、互いに近接又は離間する方向に回動可能となっている。
【００６７】
第３の回動アーム４６は、光ディスク２などをスロット１９から筐体３の内部へと引き込むローディング動作を補助するためにスロット１９から挿入される光ディスク２の記録面とほぼ平行な面内で回動可能に設けられている。
【００６８】
第３の回動アーム４６は、長尺状の板金からなり、ディスク装着部２３のターンテーブル２３ａを挟んだ左右の一方側（例えば図３中左側）の第２の回動アーム３６の前面側に位置して、ウィング部４ａ上に設けられた支軸４７を介して矢印ｃ１方向及び矢印ｃ２方向に回動可能に支持されている。
【００６９】
図５はディスク駆動装置１の一部の部品を取り外した状態を示す平面図である。
【００７０】
第３の回動アーム４６は、支軸４７が挿通される挿通される図５に示す略Ｌ字状の軸孔４６ａと、図８に示す駆動レバー５２の上面部に形成されたカム溝８０に係合されるカムピン４６ｂと、第３の回動アーム４６の先端部に設けられた第３の当接部材４８とを備えている。
【００７１】
第３の回動アーム４６は、図３及び図５に示すように、ウィング部４ａ上に配置された捻りコイルバネ７９によって付勢されている。この捻りコイルバネ７９は、その一端部がウィング部４ａの掛止ピン７９ａに掛止され、その他端部が第３の回動アーム４６の下面に設けられた掛止ピン７９ｂに掛止されている。
【００７２】
第３の回動アーム４６は、駆動レバー５２のスライド動作に連動して、カムピン４６ｂが図５に示す駆動レバー５２に形成されたカム溝８０内をスライドすることによって回動操作される。また、第３の回動アーム４６は、軸孔４６ａ内における支軸４７の位置によって、この第３の回動アーム４６の回動中心を切り替えることが可能となっている。
【００７３】
第３の当接部材４８は、スロット１９から挿入された光ディスク２の外周部に当接されるように、第３の回動アーム４６の先端部に上方に向かって突出して設けられている。第３の当接部材４８は、第３の回動アーム４６の天板部５ａと対向する主面に回転可能に取り付けられた小径の回転ローラであり、光ディスク２よりも柔らかい樹脂からなる。
【００７４】
図６はディスク駆動装置１の更に一部の部品を取り外した状態を示す平面図、図７はディスク駆動装置１の駆動レバーと検出スイッチとの位置関係を示す平面図である。
【００７５】
アーム機構１３５は、各回動アーム３５，３６，４６，４９等を協働させるための駆動レバー５２を備えている。この駆動レバー５２は、全体が略直方体状に形成された樹脂部材からなり、ボトムケース４の底面部において、このボトムケース４の一方の側面部とベースユニット２２との間に配置されている。また、この駆動レバー５２は、スロット１９から筐体３の内部に挿入される光ディスク２などよりも下方に位置しており、その上面部がウィング部４ａの底面部と略一致した高さにされている。
【００７６】
図８（ａ）は、駆動レバー５２を一方側から見た側面図であり、図８（ｂ）は、駆動レバー５２を上方側から見た平面図であり、図８（ｃ）は、駆動レバー５２を他方側から見た側面図であり、図８（ｄ）は、駆動レバー５２を下方側から見た平面図である。
【００７７】
駆動レバー５２は、図８（ｃ）に示すように、ベースユニット２２を昇降操作するため、ベース２７と対向する側面に形成された第１のカムスリット９５を有しており、この第１のカムスリット９５は、ベース２７をチャッキング解除位置に位置させるための第１の水平面部９５ａと、ベース２７をチャッキング位置に位置させるための頂上面部９５ｂと、ベース２７を上記中間位置に位置させるための第２の水平面部９５ｃとを有している。図８（ｄ）に示すように、駆動レバー５２の底面部には、ガイドスリット１００が形成されている。
【００７８】
駆動レバー５２の前面側には、図１０及び図１１に示すように、この駆動レバー５２に対して所定のストロークだけ前後方向にスライド可能とされたラック部材１０１が取り付けられている。そして、このラック部材１０１には、前後方向に亘ってラックギヤ１０１ａが形成されている。一方、ボトムケース４の底面部には、図６に示すように、変位駆動機構を構成する駆動モータ１０２と、この駆動モータ１０２の回転軸に取り付けられたウォームギヤ１０３と、このウォームギヤ１０３からラックギヤ１０１ａへと駆動モータ１０２の動力を伝達するギヤ列１０４とが配置されている。
【００７９】
したがって、この変位駆動機構は、図１０に示すように、駆動モータ１０２を一の方向に回動駆動することによって、ウォームギヤ１０３、ギヤ列１０４及びラックギヤ１０１ａ介してラック部材１０１が駆動レバー５２の背面側に引き込まれた状態で、駆動レバー５２をラック部材１０１と一体に背面側へと変位駆動する。一方、この変位駆動機構は、図１１に示すように、駆動モータ１０２を他の方向に回動駆動することによって、ウォームギヤ１０３、ギヤ列１０４及びラックギヤ１０１ａ介してラック部材１０１が駆動レバー５２の前面側に引き出された状態で、駆動レバー５２をラック部材１０１と一体に前面側へと変位駆動する。
【００８０】
第４の回動アーム４９は、長尺状の板金からなり、ディスク装着部２３のターンテーブル２３ａを挟んだ左右の一方側（例えば図３中左側）の第２の回動アーム３６の中間部において、イジェクト動作を補助するために光ディスク２の記録面とほぼ平行な面内で矢印ｄ１方向及び矢印ｄ２方向に回動可能に支持されている。また、第４の回動アーム４９の先端部には、スロット１９から挿入された光ディスク２の外周部の背面側に当接される第４の当接部材５０が上方に向かって突出して設けられている。
【００８１】
第４の当接部材５０は、光ディスク２よりも柔らかい樹脂からなり、第４の回動アーム４９の天板部５ａと対向する主面に回転可能に取り付けられた小径の回転ローラである。
【００８２】
また、第２の回動アーム３６には、この第４の回動アーム４９が背面側、すなわち矢印ｄ１方向に回動された際に、第４の回動アーム４９の背面側への回動を規制する図示を省略した規制片が設けられている。規制片は、例えば、第２の回動アーム３６の側縁がコ字状に折り曲げられて形成されている。
【００８３】
第４の回動アーム４９は、図３に示す連結機構８１を介して図５に示す駆動レバー５２のスライド動作に連動して回動操作される。
【００８４】
具体的に、この連結機構８１は、第１の支軸３７を介して回動可能に支持されたクランクアーム８２ａと、このクランクアーム８２ａと第４の回動アーム４９との間を連接する連接アーム８２ｂとからなるクランク機構を有している。また、連接アーム８２ｂには、第２の回動アーム３６に設けられたガイドピン８３ａを挿通させる長孔８３ｂが形成されている。したがって、このクランク機構は、第４の回動アーム４９の回動動作に連動して、クランクアーム８２ａを回動させることが可能となっている。
【００８５】
また、この連結機構８１は、図６に示すように、ボトムケース４の底面部に、上述したクランクアーム８２ａを介して回動される第１のギヤ８４と、この第１のギヤ８４と噛み合わされる第２のギヤ８５と、この第２のギヤ８５と噛み合わされる第３のギヤ８６が形成された回動操作部材８７とを有している。
【００８６】
この回動操作部材８７は、駆動レバー５２のスライド動作に連動して、第４の回動アーム４９を回動操作するためのものであり、駆動レバー５２に対して前後方向にスライド可能とされたスライド部材９２と係合される係合ピン８８と、記録再生時に駆動レバー５２の背面側の端部に当接されて駆動レバー５２を位置決め固定する位置決めピン８９とを有している。
【００８７】
そして、この回動操作部材８７は、引張りコイルバネ９０によって回動方向の一方側（ここでは、図６中時計回りの方向）に付勢されている。この引張りコイルバネ９０は、その一端部がボトムケース４の底面部に設けられた掛止ピン９０ａに掛止され、その他端部が回動操作部材８７に設けられた掛止ピン９０ｂに掛止されることによって、この回動操作部材８７を回動方向の一方側に付勢している。なお、回動操作部材８７には、掛止ピン９０ａを逃がすための略円弧状のスリット９１が形成されている。
【００８８】
駆動レバー５２の背面側には、この駆動レバー５２に対して前後方向にスライド可能とされたスライド部材９２が取り付けられている。そして、このスライド部材９２は、第１の及び第２の引張りコイルバネ９３ａ，９３ｂにより前面側へと付勢されており、背面側の端部に回動操作部材８７の係合ピン８８が係合されることによって、駆動レバー５２のスライド動作に連動して、この回動操作部材８７を回動操作する。
【００８９】
第１の及び第２の引張りコイルバネ９３ａ，９３ｂは、それぞれ前面側の端部が駆動レバー５２に掛止され、背面側の端部がスライド部材９２に掛止されることによって、スライド部材９２を駆動レバー５２に対して前面側へと付勢している。このうち、第１の引張りコイルバネ９３ａは、通常の駆動レバー５２及びスライド部材９２を一体で動作させるためのものであり、そのバネ力は、２００〜３００ｇｆ程度である。一方、第２の引張りコイルバネ９３ｂは、光ディスク２の正常な排出ができない場合に機構を保護するためのものであり、そのバネ力は、４００〜６００ｇｆ程度である。
【００９０】
また、ボトムケース４の底面部には、図７に示すように、各部の駆動制御を行う駆動制御回路が構成された回路基板１０５が配置されている。この回路基板１０５は、ボトムケース４の背面側の底面部にネジ止めにより取り付けられている。また、このボトムケース４の底面部及び回路基板１０５上には、上記駆動制御回路を構成するＩＣチップ等の電子部品（図示せず。）や、各部の電気的な接続を図るためのコネクタ１０６、各部の動作を検出するための検出スイッチＳＷ１，ＳＷ２，ＳＷ３，ＳＷ４等が配置されている。
【００９１】
そして、駆動制御回路は、これら検出スイッチＳＷ１，ＳＷ２，ＳＷ３，ＳＷ４からの検出信号に基づいて、上述した変位駆動機構により駆動される駆動レバー５２の位置を検出しながら、この変位駆動機構による駆動レバー５２の駆動制御を行っている。
【００９２】
このうち、検出スイッチＳＷ１は、ボトムケース４の前面側の端部に配置されている。そして、この検出スイッチＳＷ１は、駆動レバー５２の前端部によってオン／オフが切り替わる。一方、検出スイッチＳＷ２，ＳＷ３，ＳＷ４は、回路基板１０５の駆動レバー５２と対向する端縁部に所定の間隔で前後に並んで配置されている。そして、これら検出スイッチＳＷ２，ＳＷ３，ＳＷ４は、図８（ｂ），（ｃ）に示す駆動レバー５２の側面部に設けられたカム部１０７によってオン／オフが切り替わる。
【００９３】
規制機構１２０は、スロット１９から光ディスク２が排出されるときに、アーム機構１３５の移動を途中で規制するために用いられている。規制機構１２０は、図３に示すように、押圧レバー７６と、光ディスクの排出の途中で押圧レバー７６に係合するストッパー１１０と、押圧レバー７６を押圧可能な第２の捻じりコイルバネ７７とを備えている。ストッパー１１０は、例えば第２の回動アーム３６に設けられており、スロット１９から光ディスク２が排出される途中で当接ピン７６ａに当接する部分がステップ状とされている。ストッパー１１０は、押圧レバー７６が回動する方向で当接ピン７６ａと対面して当接する当接面を備えている。
【００９４】
第２の捻じりコイルバネ７７は、図５に示すように、その巻回部分がシャーシ１１に軸支された状態で、その一端部が同じくシャーシ１１に掛止され、その他端部が押圧レバー７６の当接ピン７６ｃに掛止されことによって、当接ピン７６ａがストッパー１１０に当接する方向に付勢している。当接ピン７６は、図５に示す点Ｐを軸として回動可能に設けられている。光ディスク２の排出の途中で、当接ピン７６ａがストッパー１１０に係合されたときに、アーム機構１３５が光ディスク２を押し出す力は、スロット１９を介して光ディスク２に働く摩擦力より小さく設定されている。例えば第１の捻じりコイルバネ７５は、スロット１９から光ディスク２が引き抜かれると、押圧レバー７６の当接ピン７６ａとストッパー１１０との係合が解除されるように第１の回動アーム３５及び第２の回動アーム３６に回動力を付与している。
【００９５】
したがって、規制機構１２０では、押圧レバー７６が第２の回動アーム３６を押圧することによって、第１の回動アーム３５と第２の回動アーム３６とが互いに近接する方向に付勢された状態から、駆動レバー５２の背面側へのスライド動作に連動して、押圧レバー７６のカムピン７６ｂが駆動レバー５２のカム溝７８内をスライドしながら、駆動レバー５２が背面側の端部までスライドされたとき、第２の捻じりコイルバネ７７の付勢に抗して回動されることによって、非付勢状態に切り替えることが可能である。
【００９６】
アーム機構１３５では、これら第１の回動アーム３５、第２の回動アーム３６、第３の回動アーム４６及び第４の回動アーム４９等が互いに協働しながら、光ディスク２をスロット１９から筐体３の内部へと引き込むローディング動作と、光ディスク２をディスク装着位置に位置決めするセンタリング動作と、光ディスク２をスロット１９から筐体３の外部へと排出するイジェクト動作とを行う。
【００９７】
このディスク駆動装置１は、図３に示すように、駆動レバー５２のスライドに連動して、ベース２７を昇降操作するベース昇降機構５５を備えている。
【００９８】
このベース昇降機構５５は、ベース２７を上昇させて、ディスク装着位置に位置決めされた光ディスク２をディスク装着部２３のターンテーブル２３ａに装着する図１３に示すチャッキング位置と、ベース２７を下降させて、ディスク装着部２３のターンテーブル２３ａから光ディスク２を離脱する図１２に示すチャッキング解除位置と、ベース２７をチャッキング位置とチャッキング解除位置との間に位置させて、光ディスク２に対する信号の記録又は再生を行う図１４に示す中間位置との間でベース２７を昇降操作する。
【００９９】
具体的に、駆動レバー５２のベース２７と対向する側面には、図８に示すようにチャッキング位置、チャッキング解除位置及び中間位置に対応した第１のカムスリット９５が長手方向に亘って形成されている。
【０１００】
また、ボトムケース４の底面部には、図５に示すようにベース２７の背面側の側面に沿ってカムレバー５６が配置されている。このカムレバー５６は、図９に示すように、長尺状の平板部材からなり、駆動レバー５２の前後方向のスライドに連動して、駆動レバー５２のスライド方向と略直交する方向にスライド操作される。このカムレバー５６の中間部には、ベース２７と対向する端縁部から上方に向かって折り曲げられたカム片５７が設けられている。カム片５７の水平面部５７ａには、図５に示すように直径が１２ｃｍの大径ディスクに対応した第１のカム部７４ａと、この第１のカム部７４ａよりも前面側をスリット状に切り欠くことによって、直径が８ｃｍの小径ディスクに対応した第２のカム部７４ｂとが形成されている。このカム片５７には、図９示すようにチャッキング位置、チャッキング解除位置及び中間位置に対応した第２のカムスリット９６が長手方向に亘って形成されている。
【０１０１】
第２のカムスリット９６は、ベース２７をチャッキング解除位置に位置させるための第１の水平面部９６ａと、ベース２７をチャッキング位置に位置させるための頂上面部９６ｂと、ベース２７を中間位置に位置させるための第２の水平面部９６ｃとを有している。
【０１０２】
ここで、カムレバー５６は、その主面に形成された前後一対のガイドスリット９７ａ，９７ｂを有しており、これらガイドスリット９７ａ，９７ｂに、図６に示すボトムケース４の底面部から突出された一対の頭付ガイドピン９８ａ，９８ｂが係合されることによって、ベース２７の背面側の側面に沿って、駆動レバー５２のスライド方向と略直交する、すなわち左右方向にスライド可能に支持されている。
【０１０３】
また、カムレバー５６の駆動レバー５２と交差する位置には、図６に示すガイドピン９９が上方に向かって突出形成されている。カムレバー５６は、図６に示すように、駆動レバー５２の前後方向のスライドに連動して、ガイドピン９９がガイドスリット１００内をスライドすることによって、駆動レバー５２のスライド方向と直交する方向にスライド操作される。
【０１０４】
連動機構４１では、筐体３のスロット１９から大径ディスクが挿入された場合と小径ディスクが挿入された場合との第１の回動アーム３５と第２の回動アーム３６との開き具合の違いによって、上記第２の支軸４４の第１のカム部７４ａと第２のカム部７４ｂとに対する係合状態が切り替わる。
【０１０５】
具体的に、大径ディスクが挿入された場合には、第２の支軸４４が第１のカム部７４ａに係合されて、上述したカムレバー５６の左右方向のスライド動作に連動しながら、この第２の支軸４４がガイドスリット４５内をスライドすることになる。これにより、大径ディスクの外径に対応して、第１の回動アーム３５と第２の回動アーム３６とを互いに近接又は離間する方向に回動操作することができる。
【０１０６】
一方、小径ディスクが挿入された場合には、第２の支軸４４が第２のカム部７４ｂに係合されて、上述したカムレバー５６の左右方向のスライド動作に連動しながら、この第２の支軸４４がガイドスリット４５内をスライドすることになる。これにより、小径ディスクの外径に対応して、第１の回動アーム３５と第２の回動アーム３６とを互いに近接又は離間する方向に回動操作することができる。
【０１０７】
また、ボトムケース４の底面部には、図６に示すように折曲げ片５８がベース２７の背面側の側面に沿って折り曲げ形成されている。この折曲げ片５８には、ベース２７を昇降させるための鉛直スリット（図示せず。）が上下方向に亘って形成されている。
【０１０８】
ベース２７の第１の支軸５９は、図４に示すように、駆動レバー５２の図８に示す第１のカムスリット９５に係合されて支持され、第２の支軸６０はカム片５７の第２のカムスリット９６及び折曲げ片５８の鉛直スリットに係合されて支持され、第３の支軸６２はボトムケース４の他方側の側面に設けられた軸孔６１に回動可能に支持され、固定支持部６５はゴム等の粘弾性部材からなるインシュレータ６３を介してボトムケース４の底面部にネジ６４により固定支持されている。
【０１０９】
したがって、このベース昇降機構５５では、駆動レバー５２及びカムレバー５６のスライドに連動して、第１の支軸５９が駆動レバー５２の第１のカムスリット９５内をスライドすると共に、第２の支軸６０がカムレバー５６の第２のカムスリット９６及び折曲げ片５８の鉛直スリット内をスライドすることによって、ベース２７のディスク装着部２３側が前面側に対して、チャッキング位置とチャッキング解除位置と中間位置との間で昇降操作される。
【０１１０】
また、ボトムケース４の底面部には、図３に示すように、このベース昇降機構５５がベース２７を下降させたとき、ディスク装着部２３のターンテーブル２３ａ上に装着された光ディスク２をターンテーブル２３ａから離脱させるための押上ピン６６が設けられている。この押上ピン６６は、ベースユニット２２のディスク装着部２３近傍、具体的にはディスク装着部２３に最も近接したベース２７の背面側に位置して、ボトムケース４の底面部から上方に向かって突出して設けられている。
【０１１１】
次に、以上のように構成されるディスク駆動装置１の具体的な動作について説明する。
【０１１２】
このディスク駆動装置１では、図１５に示すように、大径ディスク２Ａが挿入される前の初期状態（ＨＯＭＥ状態）において、第１の回動アーム３５及び第２の回動アーム３６は、それぞれの先端部が所定の広がり角で開いた状態である。すなわち、図３に示すように、初期状態（ＨＯＭＥ状態）において、第１の前面側当接部材３８の回転ローラ７３ａと第２の前面側当接部材４０の回転ローラ７３ｃ間の最短距離Ｌ２が小径ディスク２Ｂの直径よりも小さくなっている。
【０１１３】
また、ＨＯＭＥ状態では、第３の回動アーム４６は、先端部が基端部よりも外側に位置しかつ先端部が基端部よりも前面側に位置し、第４の回動アーム４９は先端部が基端部よりも内側に位置しかつ先端部が基端部よりも前面側に位置した状態でボトムケース４の前面側に位置している。
【０１１４】
このディスク駆動装置１では、筐体３のスロット１９から外径の異なる大径ディスク２Ａ，２Ｂが挿入された場合であっても、これら大径ディスク２Ａ，２Ｂをディスク装着位置まで引き込むローディング動作を行うことが可能である。
【０１１５】
具体的に、筐体３のスロット１９から大径ディスク２Ａが挿入された場合には、先ず、図１５に示すように、スロット１９から筐体３の内部に挿入された大径ディスク２Ａの外周部の背面側が第１の回動アーム３５の第１の前面側当接部材３８及び第２の回動アーム３６の第２の前面側当接部材４０に当接された状態となる。
【０１１６】
次に、この状態から更に、図１６に示すように、大径ディスク２Ａがスロット１９から筐体３の内部に押し込まれると、第１の回動アーム３５と第２の回動アーム３６とが第１の前面側当接部材３８と第２の前面側当接部材４０との間で大径ディスク２Ａの外周部を挟み込む。このとき、第１の前面側当接部材３８と第２の前面側当接部材４０とが大径ディスク２Ａの外周部の背面側に当接された状態で、第１の回動アーム３５と第２の回動アーム３６とが捻じりコイルバネ７１ｄ、第２の捻じりコイルバネ７７の付勢に抗して互いに離間する方向、すなわち図１６に示す矢印ａ２，ｂ２の方向に回動する。
【０１１７】
そして、図１６に示した位置まで第３の回動アーム４６が所定量だけ回動したとき、回路基板１０５に設けられた検出スイッチＳＷ２等が押圧されることによって、変位駆動機構による駆動レバー５２の背面側へのスライドが開始される。
【０１１８】
これにより、第３の回動アーム４６は、図１６に示す矢印ｃ１の方向に更に回動する。また、第３の回動アーム４６は、第３の当接部材４８が大径ディスク２Ａの外周部の前面側に当接された状態となることで、この大径ディスク２Ａの外周部の前面側を押圧しながら、大径ディスク２Ａを筐体３の内部へと引き込むことになる。
【０１１９】
そして、図１７に示すように、大径ディスク２Ａの中心孔２ａが第１の前面側当接部材３８と第２の前面側当接部材４０とを結ぶ直線よりも背面側に位置するまで、大径ディスク２Ａが筐体３の内部に引き込まれると、第１の前面側当接部材３８と第２の前面側当接部材４０とが大径ディスク２Ａの外周部に沿って背面側から前面側へと回り込む。すると、第１の前面側当接部材３８と第２の前面側当接部材４０とが大径ディスク２Ａの外周部の前面側に当接された状態で、第１の回動アーム３５と第２の回動アーム３６とが捻じりコイルバネ７１ｄ、第２の捻じりコイルバネ７７に付勢されて互いに近接する方向、すなわち図８に示す矢印ａ１，ｂ１の方向に回動される。
【０１２０】
また、第４の回動アーム４９は、第４の当接部材５０が大径ディスク２Ａの外周部の背面側に当接された状態で押圧されることによって、図１８に示す矢印ｄ１の方向に回動される。そして、第４の回動アーム４９は、大径ディスク２Ａが図１８に示すディスク装着位置で引き込まれた際に、第２の回動アーム３６の図示を省略した規制片に当接され、その回動が規制された状態となる。
【０１２１】
これにより、第１の回動アーム３５及び第２の回動アーム３６は、大径ディスク２Ａの外周部の前面側を押圧しながら、大径ディスク２Ａを図１８に示すディスク装着位置まで引き込むことになる。
【０１２２】
一方、筐体３のスロット１９から小径ディスク２Ｂが挿入された場合には、先ず、図２２に示すように、スロット１９から筐体３の内部に挿入された小径ディスク２Ｂの外周部の背面側が第１の回動アーム３５の第１の前面側当接部材３８及び第２の回動アーム３６の第２の前面側当接部材４０に当接される状態となる。
【０１２３】
次に、この状態から更に、図２３に示すように、小径ディスク２Ｂがスロット１９から筐体３の内部に押し込まれると、第１の回動アーム３５と第２の回動アーム３６とが第１の前面側当接部材３８と第２の前面側当接部材４０との間で小径ディスク２Ｂの外周部を挟み込む。このとき、第１の前面側当接部材３８と第２の前面側当接部材４０とが小径ディスク２Ｂの外周部の背面側に当接された状態で、第１の回動アーム３５と第２の回動アーム３６とが捻じりコイルバネ７１ｄ、第２の捻じりコイルバネ７７の付勢に抗して互いに離間する方向、すなわち図２３に示す矢印ａ２，ｂ２の方向に回動される。
【０１２４】
そして、図２３に示した位置まで第４の回動アーム４９が所定量だけ回動したとき、回路基板１０５に設けられた検出スイッチＳＷ２等が押圧されることによって、変位駆動機構による駆動レバー５２の背面側へのスライドが開始される。
【０１２５】
これにより、第３の回動アーム４６は、図２３に示す矢印ｃ１の方向に回動する。また、第３の回動アーム４６は、第３の当接部材４８が小径ディスク２Ｂの外周部の前面側に当接された状態となることで、この小径ディスク２Ｂの外周部の前面側を押圧しながら、小径ディスク２Ｂをスロット１９から筐体３の内部へと引き込むことになる。
【０１２６】
そして、図２４に示すように、小径ディスク２Ｂの中心孔２ａが第１の前面側当接部材３８と第２の前面側当接部材４０とを結ぶ直線よりも背面側にまで位置するまで、小径ディスク２Ｂが筐体３の内部に引き込まれると、第１の前面側当接部材３８と第２の前面側当接部材４０とが小径ディスク２Ｂの外周部に沿って背面側から前面側へと回り込む。すると、第１の前面側当接部材３８と第２の前面側当接部材４０とが小径ディスク２Ｂの外周部の前面側に当接された状態で、第１の回動アーム３５と第２の回動アーム３６とが捻じりコイルバネ７１ｄ、第２の捻じりコイルバネ７７に付勢されて互いに近接する方向、すなわち図２５に示す矢印ａ１，ｂ１の方向に回動される。
【０１２７】
また、第４の回動アーム４９は、第４の当接部材５０が小径ディスク２Ｂの外周部の背面側に当接された状態で押圧されることによって、図２５に示す矢印ｄ１の方向に回動される。そして、第４の回動アーム４９は、小径ディスク２Ｂが図２６に示すディスク装着位置で引き込まれた際に、第２の回動アーム３６の図示を省略した規制片に当接され、その回動が規制された状態となる。
【０１２８】
これにより、第１の回動アーム３５及び第２の回動アーム３６は、小径ディスク２Ｂの外周部の前面側を押圧しながら、小径ディスク２Ｂを図２６に示すディスク装着位置（チャッキング位置）まで引き込むことになる。
【０１２９】
このディスク駆動装置１では、図１８及び図２６に示すように、第１の回動アーム３５及び第２の回動アーム３６が、これら外径の異なる大径ディスク２Ａ，又は小径ディスク２Ｂをディスク装着位置まで引き込んだ際に、第１の前面側当接部材３８、第１の背面側当接部材３９、第２の前面側当接部材４０、第４の当接部材５０の内側に大径ディスク２Ａ，２Ｂを挟み込むことによって、大径ディスク２Ａ，又は小径ディスク２Ｂをディスク装着位置に位置決めするセンタリング動作を行う。すなわち、大径ディスク２Ａ，又は小径ディスク２Ｂの中心孔２ａと、ターンテーブル２３ａの係合突部２８ａとを大径ディスク２Ａ、又は小径ディスク２Ｂの記録面と直交する方向において一致させる。
【０１３０】
次に、このディスク駆動装置１では、大径ディスク２Ａ、小径ディスク２Ｂのセンタリング動作の後に、ベース昇降機構５５がベース２７を上昇させることによって、ディスク装着位置に位置決めされた大径ディスク２Ａ、小径ディスク２Ｂをディスク装着部２３のターンテーブル２３ａに装着するチャッキング動作を行う。
【０１３１】
具体的には、図１２に示すチャッキング解除位置からベース昇降機構５５によりベース２７が図１３に示すチャッキング位置まで上昇すると、ディスク装着位置に位置決めされた大径ディスク２Ａ、又は小径ディスク２Ｂの中心孔２ａに係合突部２８ａが入り込みながら、天板部５ａの当接突部７に大径ディスク２Ａ、又は小径ディスク２Ｂの中心孔２ａの周囲が押し付けられることによって、係合突部２８ａが大径ディスク２Ａ、又は小径ディスク２Ｂの中心孔２ａに係合されると共に、複数の係止爪２８ｂが大径ディスク２Ａ、又は小径ディスク２Ｂの中心孔２ａの周囲を係止した状態で、大径ディスク２Ａ、又は小径ディスク２Ｂがターンテーブル２３ａ上に保持される。そして、大径ディスク２Ａ、又は小径ディスク２Ｂがターンテーブル２３ａ上に保持された状態で、ベース昇降機構５５によりベース２７が図１４に示す中間位置まで下降する。
【０１３２】
また、ディスク駆動装置１では、チャッキング動作の後に、図１９及び図２７に示すように、駆動レバー５２の背面側へのスライドに連動して、第１の回動アーム３５及び第２の回動アーム３６が互いに離間する方向、すなわち図１９及び図２７に示す矢印ａ２，ｂ２の方向に僅かに回動される。このとき、第４の回動アーム４９は、図示を省略した規制片に当接されたまま、第２の回動アーム３６と一体に回動されることになる。また、第３の回動アーム４６は、駆動レバー５２の背面側へのスライドに連動して、図１９及び図２７に示す矢印ｃ２の方向に僅かに回動される。
【０１３３】
これにより、ターンテーブル２３ａに保持された大径ディスク２Ａ，又は小径ディスク２Ｂの外周部からは、第１の前面側当接部材３８、第１の背面側当接部材３９、第２の前面側当接部材４０、第３の当接部材４８、第４の当接部材５０が離間した状態となる。
【０１３４】
このディスク駆動装置１では、図１９、図２７に示す状態から、駆動制御回路から記録又は再生の指令が送られると、この指令に基づいて、大径ディスク２Ａ，又は小径ディスク２Ｂに対して信号の記録又は再生が行われる。具体的には、スピンドルモータ２４ａが大径ディスク２Ａ，又は小径ディスク２Ｂをターンテーブル２３ａと一体に回転駆動すると共に、ピックアップ送り機構２６によって光学ピックアップ２５が外周側から内周側へ移動し、フォーカスサーボ制御とトラッキングサーボ制御がかかると、この大径ディスク２Ａ，又は小径ディスク２Ｂのリードイン領域に記録されているＴＯＣデータの読み出しを行う。この後、信号を記録する場合にあっては、読み出したＴＯＣデータに基づいて、大径ディスク２Ａ，又は小径ディスク２Ｂのプログラム領域内の所定のアドレスに、光学ピックアップ２５が移動する。また、信号の再生時にあっては、指定されたデータが記録されたプログラム領域内のアドレスに、光学ピックアップ２５が移動する。そして、この光学ピックアップ２５が大径ディスク２Ａ，又は小径ディスク２Ｂの所望の記録トラックに対して信号の書き込み又は読み出し動作を行う。
【０１３５】
このディスク駆動装置１では、表示部２０に設けられたイジェクトボタン２１が押圧される、或いはパーソナルコンピュータからディスク駆動装置１に対してイジェクトの指令が送られると、この指令に基づいて、先ず、変位駆動機構による駆動レバー５２の前面側へのスライドが開始される。
【０１３６】
そして、図１８及び図２６に示すように、この駆動レバー５２の前面側へのスライドに連動して、第１の回動アーム３５及び第２の回動アーム３６が互いに近接する方向、すなわち図１８及び図２６に示す矢印ａ１，ｂ１の方向に僅かに回動される。このとき、第４の回動アーム４９は、規制片に当接されたまま、第２の回動アーム３６と一体に回動されることになる。
【０１３７】
これにより、ターンテーブル２３ａに保持された大径ディスク２Ａ，又は小径ディスク２Ｂの外周部に、第１の前面側当接部材３８、第１の背面側当接部材３９、第２の前面側当接部材４０、第４の当接部材５０が当接された状態となる。
【０１３８】
次に、このディスク駆動装置１では、ベース昇降機構５５がベース２７をチャッキング解除位置まで下降させることによって、ディスク装着部２３のターンテーブル２３ａから大径ディスク２Ａを離脱するチャッキング解除動作を行う。
【０１３９】
具体的には、ベース２７がチャッキング解除位置まで下降すると、押上ピン６６の先端部がターンテーブル２３ａに装着された大径ディスク２Ａ，又は小径ディスク２Ｂの内周側の非信号記録領域に当接することによって、大径ディスク２Ａ、又は小径ディスク２Ｂを押し上げながら、大径ディスク２Ａ、又は小径ディスク２Ｂをターンテーブル２３ａ上から離脱する。
【０１４０】
次に、このディスク駆動装置１では、ディスク装着部２３にある大径ディスク２Ａ，又は小径ディスク２Ｂをスロット１９から筐体３の外部へと排出するイジェクト動作を行う。
【０１４１】
具体的に、筐体３のスロット１９から大径ディスク２Ａを排出する場合には、先ず、図２０に示すように、駆動レバー５２の前面側へのスライドに連動して、第４の回動アーム４９が図２０に示す矢印ｄ２の方向に回動される。また、第４の回動アーム４９は、第４の当接部材５０が大径ディスク２Ａの外周部の背面側に当接された状態となることで、この大径ディスク２Ａの外周部の背面側を押圧しながら、大径ディスク２Ａを筐体３の外部へと押し出すことになる。
【０１４２】
そして、図２１に示すように、大径ディスク２Ａの中心孔２ａが第１の前面側当接部材３８と第２の前面側当接部材４０とを結ぶ直線よりも前面側に位置するまで、大径ディスク２Ａが筐体３の外部へと排出されると、第１の前面側当接部材３８と第２の前面側当接部材４０とが大径ディスク２Ａの外周部に沿って前面側から背面側へと回り込む。すると、第１の前面側当接部材３８と第２の前面側当接部材４０とが大径ディスク２Ａの外周部の背面側に当接された状態で、第１の回動アーム３５と第２の回動アーム３６とが捻じりコイルバネ７１ｄ、第２の捻じりコイルバネ７７に付勢されて互いに近接する方向、すなわち図２１に示す矢印ａ１，ｂ１の方向に回動される。
【０１４３】
大径ディスク２Ａの排出の途中において、第１の回動アーム３５、第２の回動アーム３６が閉じるときに、押圧レバー７６の当接ピン７６ａは図２０に示す位置から矢印ｅ１方向に移動し、図２１に示すようにストッパー１１０のステップ状の部分に係合する。これにより、当接ピン７６ａがストッパー１１０を押圧する力を伝達できなくなり、第１の回動アーム３５、第２の回動アーム３６が閉じようとするトルクは、ストッパー１１０が設けられてない場合に比べて大きく減少する。
【０１４４】
大径ディスク２Ａと、カーテン３２と間の摩擦力よりも、第１の回動アーム３５、第２の回動アーム３６が大径ディスク２Ａを押し出そうとする力の方が十分小さく設定されている。このため、第１の回動アーム３５及び第２の回動アーム３６は、大径ディスク２Ａの外周部の背面側を押圧しながら、大径ディスク２Ａをディスク挿入排出位置、すなわち大径ディスク２Ａの中心孔２ａがスロット１９から筐体３の外部に露出する位置まで押し出すことになる。
【０１４５】
使用者が、大径ディスク２Ａをスロット１９から取り出すと、第１の回動アーム３５、第２の回動アーム３６の回動を規制する力がなくなり、捻じりコイルバネ７１ｄ、第２の捻じりコイルバネ７７の力によって第１の回動アーム３５、第２の回動アーム３６は閉じ、ＨＯＭＥ位置に移動し、一連の動作が終了する。
【０１４６】
一方、筐体３のスロット１９から小径ディスク２Ｂを排出する場合には、先ず、図２８に示すように、駆動レバー５２の前面側へのスライドに連動して、第４の回動アーム４９が図２８に示す矢印ｄ２の方向に回動される。また、第４の回動アーム４９は、第４の当接部材５０が小径ディスク２Ｂの外周部の背面側に当接された状態となることで、この小径ディスク２Ｂの外周部の背面側を押圧しながら、小径ディスク２Ｂを筐体３の外部へと押し出すことになる。
【０１４７】
そして、図２３に示すように、小径ディスク２Ｂの中心孔２ａが第１の前面側当接部材３８と第２の前面側当接部材４０とを結ぶ直線よりも前面側に位置するまで、小径ディスク２Ｂが筐体３の外部へと排出されると、第１の前面側当接部材３８と第２の前面側当接部材４０とが小径ディスク２Ｂの外周部に沿って前面側から背面側へと回り込む。すると、第１の前面側当接部材３８と第２の前面側当接部材４０とが小径ディスク２Ｂの外周部の背面側に当接された状態で、第１の回動アーム３５と第２の回動アーム３６とが捻じりコイルバネ７１ｄ、第２の捻じりコイルバネ７７に付勢されて互いに近接する方向、すなわち図２３に示す矢印ａ１，ｂ１の方向に回動される。
【０１４８】
そして、第１の回動アーム３５及び第２の回動アーム３６は、小径ディスク２Ｂの外周部の背面側を押圧しながら、小径ディスク２Ｂをディスク挿入排出位置まで押し出すことになる。小径ディスク２Ｂのディスク挿入排出位置は、大径ディスク２Ａの場合と同様に、小径ディスク２Ｂの中心孔２ａがスロット１９から排出された位置に設定することができる。
【０１４９】
なお、大径ディスク２Ａ、又は小径ディスク２Ｂに摩擦負荷を与えるためカーテン３２を転用したが、専用の摩擦部材を例えばスロット１９に近接して設けるようにしてもよい。
【０１５０】
以上のように、本実施の形態に係るディスク駆動装置１は、ディスク搬送機構３４がアーム機構１３５の移動を途中で規制する規制機構１２０を備えているので、例えばスロット１９からの大径ディスク２Ａの排出時にアーム機構１３５の移動を途中で規制しアーム機構１３５が大径ディスク２Ａを押し出す力を調整（低減）でき、大径ディスク２Ａがスロット１９から排出される量を調整することができる。従って、大径ディスク２Ａがスロット１９から排出される量を、例えば大径ディスク２Ａの半径の長さ程度にすることで、大径ディスク２Ａをスロット１９から容易に取り出すことができるようにすることができると共に、スロット１９から大径ディスク２Ａが脱落することを防止することができる。特に、大径ディスク２Ａ，及び小径ディスク２Ｂの中心孔２ａがスロット１９から完全に排出された位置で、排出が終了するように調整することで、使用者が大径ディスク２Ａ，や小径ディスク２Ｂをスロット１９から取り出し易くなるようにすることができる。
【０１５１】
また、ディスク搬送機構３４は、第２の回動アーム３６に装着されたストッパー１１０と、第２の回動アーム３６が狭まる途中でストッパー１１０に係合する当接ピン７６ａを有し、当接ピン７６ａにより第２の回動アーム３６を記録面内で狭める方向に回動させるための回動力を付与することができるように構成されている。このため、第２の回動アーム３６が狭まる途中で当接ピン７６ａがストッパー１１０に係合したときに、当接ピン７６ａによりストッパー１１０を介して押圧される第２の回動アーム３６が大径ディスク２Ａを押し出す力を減少させ、大径ディスク２Ａがスロット１９から排出される量を調整することができる。
【０１５２】
更に、光ディスク２の排出の途中で、当接ピン７６ａがストッパー１１０に係合されたときに、アーム機構１３５が光ディスク２を押し出す力は、スロット１９（のカーテン３２）を介して光ディスク２に働く摩擦力より小さく設定されているので、アーム機構１３５の移動がストッパー１１０により規制されたときに、スロット１９（のカーテン３２）と大径ディスク２Ａとの摩擦力により、排出中の大径ディスク２Ａをスロット１９内に保持することができる。
【０１５３】
また、例えば第１の捻じりコイルバネ７５は、スロット１９から光ディスク２が引き抜かれると、押圧レバー７６の当接ピン７６ａとストッパー１１０との係合が解除されるように第１の回動アーム３５及び第２の回動アーム３６に回動力を付与している。このため、スロット１９から大径ディスク２Ａが引き抜かれると、例えばスロット１９（のカーテン３２）と大径ディスク２Ａとの摩擦力がなくなり、押圧レバー７６の当接ピン７６ａとストッパー１１０との係合が解除される。したがって、係合を解除するための機構を設けることなく第１の回動アーム３５及び第２の回動アーム３６を例えばＨＯＭＥ状態に戻すことができる。
【０１５４】
そして、ディスク搬送機構３４は、第２の捻じりコイルバネ７７、当接ピン７６ａを有する押圧レバー７６等を備えており、ストッパー１１０は押圧レバー７６の回動方向で当接ピン７６ａと対面して当接する当接面を備えている。このため、第２の捻じりコイルバネ７７の付勢力により回動する押圧レバー７６の当接ピン７６ａを、ストッパー１１０の当接面に当接させることができ、第１、第２の回動アーム３５、３６が狭まる途中で第１、第２の回動アーム３５、３６の回動を規制することができる。
【０１５５】
（第２の実施の形態）
次に、本発明に係る第２の実施の形態のディスク駆動装置について説明する。なお、本実施形態においては、第１の実施形態と同一の構成部材等には同一の符号を付しその説明を省略し、異なる箇所を中心に説明する。
【０１５６】
図２９は第２の実施の形態のディスク駆動装置２００の構成を示す平面図である。
【０１５７】
第１の実施形態では、ストッパー１１０が押圧レバー７６の当接ピン７６ａに係合するステップ状の部分を備える例を示したが、本実施形態では、ストッパー１６０が押圧レバー７６の当接ピン７６ａと係合してロックする例えば凹形状であるロック部１１２を備えている。例えば大径ディスク２Ａの排出の途中で、ストッパー１６０のロック部１１２に、押圧レバー７６の当接ピン７６ａが嵌合し、第１の回動アーム３５及び第２の回動アーム３６の回動を規制するように構成されている。
【０１５８】
また、ディスク駆動装置２００のスロット１９の近くには、例えば大径ディスク２Ａがスロット１９に挿入されているか否かを検出するための検出部１１１が設けられている。検出部１１１は、例えば光センサなどが用いられている。
【０１５９】
本実施形態のディスク駆動装置２００の動作については、第１の実施形態と同様であるが、ストッパー１６０が凹形状のロック部１１２を備えているため、例えば大径ディスク２Ａの排出時に、図３０に示すように当接ピン７６ａが矢印ｅ１方向に回動しロック部１１２に嵌合する。当接ピン７６ａがロック部１１２に入り込んだ状態で第２回動アーム３６の回動を規制する（ロックがかかった状態となる）ため、第１の回動アーム３５、第２の回動アーム３６が互いに近づくように回動することを規制する。
【０１６０】
使用者により大径ディスク２Ａがスロット１９から引き抜かれると、検出部１１１は大径ディスク２Ａが引き抜かれたことを検出し、図示を省略した駆動制御回路が駆動レバー５２が矢印ｆ方向に若干移動させる。
【０１６１】
駆動レバー５２には押圧レバー７６を回動させるためのカム溝７８が設けられており、カム溝７８が押圧レバー７６のカムピン７６ｂを押し、押圧レバー７６を矢印ｅ２方向に回動させる。これにより、押圧レバー７６のカムピン７６ｂはストッパー１６０のロック部１１２から離れロックが解除されると共に、第１の捻じりコイルばね７５の付勢により、第１の回動アーム３５、第２の回動アーム３６は閉じ、ＨＯＭＥ位置に戻る。
【０１６２】
本実施の形態に係るディスク駆動装置２００は、例えば大径ディスク２Ａがスロット１９に挿入されているか否かを検出するための検出部１１１と、検出部１１１により大径ディスク２Ａがスロット１９に挿入されていない状態が検出されたときに、ロック部１１２に嵌るカムピン７６ｂをロック部１１２から解除する駆動レバー５２とを備え、押圧レバー７６が当接ピン７６ａを備え、ストッパー１６０が例えば大径ディスク２Ａの排出の途中で当接ピン７６ａに嵌合するロック部１１２を備えている。このため、大径ディスク２Ａの排出中に当接ピン７６ａをロック部１１２に嵌め込むことができ、第１の回動アーム３５及び第２の回動アーム３６の回動を確実に規制することができると共に、検出部１１１によりスロット１９に大径ディスク２Ａがないことを検出したときに、駆動レバー５２により当接ピン７６ａをロック部１１２から解除し、例えば第１の回動アーム３５及び第２の回動アーム３６を大径ディスク２ＡのＨＯＭＥ状態に戻すことができる。
【０１６３】
また、例えば大径ディスク２Ａと、スロット１９のカーテン３２との摩擦力に頼ることなく、例えばロック部１１２の凹形状を調整することで、大径ディスク２Ａがスロット１９から排出される排出量を調整することができる。
【０１６４】
なお、上述したディスク駆動装置１などを備えた電子機器としては、コンピュータ（パーソナルコンピュータの場合、ラップトップ型であっても、デスクトップ型であってもよい。）、ＰＤＡ（Personal Digital Assistance）、電子辞書、カメラ、ディスプレイ装置、オーディオ／ビジュアル機器、携帯電話、ゲーム機器、カーナビゲーション機器、その他の電化製品等が挙げられる。
【０１６５】
また、上記実施形態では、ストッパー１１０、１６０を第２の回動アーム３６に設ける例を示したが、例えば同様のストッパーを第１の回動アーム３５に設けるようにしてもよい。このようにすることで、例えば、より確実に大径ディスク２Ａなどのスロット１９からの排出量を調整することができる。
【図面の簡単な説明】
【０１６６】
【図１】本発明に係る第１の実施の形態のディスク駆動装置の斜視図である。
【図２】ディスク駆動装置のトップカバーを内面側から見た斜視図である。
【図３】ディスク駆動装置の構造を示す平面図である。
【図４】ディスク駆動装置のベースユニットの斜視図である。
【図５】ディスク駆動装置の一部の部品を取り外した状態を示す平面図である。
【図６】ディスク駆動装置の更に一部の部品を取り外した状態を示す平面図である。
【図７】ディスク駆動装置の駆動レバーと検出スイッチとの位置関係を示す平面図である。
【図８】（ａ）は、駆動レバーを一方側から見た側面図であり、（ｂ）は、駆動レバーを上方側から見た平面図であり、（ｃ）は、駆動レバーを他方側から見た側面図であり、（ｄ）は、駆動レバーを下方側から見た平面図である。
【図９】（ａ）は、カムレバーの構成を示す平面図であり、（ｂ）は、カムレバーの構成を示す側面図である。
【図１０】（ａ）は、ローディング動作時の駆動レバーを下方側から見た平面図であり、（ｂ）は、駆動レバーを上方側から見た平面図である。
【図１１】（ａ）は、イジェクト動作時の駆動レバーを下方側から見た平面図であり、（ｂ）は、駆動レバーを上方側から見た平面図である。
【図１２】ディスク駆動装置の動作を説明するための図であり、ベースユニットがチャッキング解除位置にある状態を示す側面図である。
【図１３】ディスク駆動装置の動作を説明するための図であり、ベースユニットがチャッキング位置にある状態を示す側面図である。
【図１４】ディスク駆動装置の動作を説明するための図であり、ベースユニットが中間位置にある状態を示す側面図である。
【図１５】ディスク駆動装置の動作を説明するための図であり、大径ディスクの挿入開始状態を示す平面図である。
【図１６】ディスク駆動装置の動作を説明するための図であり、大径ディスクの引き込み開始状態を示す平面図である。
【図１７】ディスク駆動装置の動作を説明するための図であり、大径ディスクの引き込み途中の状態を示す平面図である。
【図１８】ディスク駆動装置の動作を説明するための図であり、大径ディスクのセンタリングの状態を示す平面図である。
【図１９】ディスク駆動装置の動作を説明するための図であり、大径ディスクのチャッキングの完了（記録再生）の状態を示す平面図である。
【図２０】ディスク駆動装置の動作を説明するための図であり、大径ディスクのイジェクト途中の状態を示す平面図である。
【図２１】ディスク駆動装置の動作を説明するための図であり、大径ディスクのイジェクト途中でストッパーに当接ピンが係合した状態を示す平面図である。
【図２２】ディスク駆動装置の動作を説明するための図であり、小径ディスクの挿入開始状態を示す平面図である。
【図２３】ディスク駆動装置の動作を説明するための図であり、小径ディスクの引き込み検出スイッチの押圧時の状態を示す平面図である。
【図２４】ディスク駆動装置の動作を説明するための図であり、小径ディスクの引き込み開始状態を示す平面図である。
【図２５】ディスク駆動装置の動作を説明するための図であり、小径ディスクの引き込み途中の状態を示す平面図である。
【図２６】ディスク駆動装置の動作を説明するための図であり、小径ディスクのセンタリングの状態、及びイジェクト開始の状態を示す平面図である。
【図２７】ディスク駆動装置の動作を説明するための図であり、小径ディスクのチャッキングの完了（記録再生）の状態を示す平面図である。
【図２８】ディスク駆動装置の動作を説明するための図であり、小径ディスクのイジェクト途中の状態を示す平面図である。
【図２９】本発明に係る第２の実施の形態のディスク駆動装置の平面図である。
【図３０】図２９のディスク駆動装置の動作を説明するための図であり、大径ディスクのイジェクト途中でストッパーに当接ピンが嵌合した状態を示す平面図である。
【図３１】図３０のストッパーに嵌合した当接ピンが、駆動レバーにより外された状態を示す平面図である。
【符号の説明】
【０１６７】
１、２００…ディスク駆動装置
２…光ディスク
２Ａ…大径ディスク
２Ｂ…小径ディスク
３…筐体
１９…スロット
３５…第１の回動アーム
３６…第２の回動アーム
２３…ディスク装着部
３４…ディスク搬送機構
５２…駆動レバー
７６…押圧レバー
７６ａ…当接ピン
１１０、１６０…ストッパー
１１１…検出部
１１２…ロック部
１２０…規制機構
１３５…アーム機構
【図１】
2006302399.tif 000003
【図２】
2006302399.tif 000004
【図３】
2006302399.tif 000005
【図４】
2006302399.tif 000006
【図５】
2006302399.tif 000007
【図６】
2006302399.tif 000008
【図７】
2006302399.tif 000009
【図８】
2006302399.tif 000010
【図９】
2006302399.tif 000011
【図１０】
2006302399.tif 000012
【図１１】
2006302399.tif 000013
【図１２】
2006302399.tif 000014
【図１３】
2006302399.tif 000015
【図１４】
2006302399.tif 000016
【図１５】
2006302399.tif 000017
【図１６】
2006302399.tif 000018
【図１７】
2006302399.tif 000019
【図１８】
2006302399.tif 000020
【図１９】
2006302399.tif 000021
【図２０】
2006302399.tif 000022
【図２１】
2006302399.tif 000023
【図２２】
2006302399.tif 000024
【図２３】
2006302399.tif 000025
【図２４】
2006302399.tif 000026
【図２５】
2006302399.tif 000027
【図２６】
2006302399.tif 000028
【図２７】
2006302399.tif 000029
【図２８】
2006302399.tif 000030
【図２９】
2006302399.tif 000031
【図３０】
2006302399.tif 000032
【図３１】
2006302399.tif 000033